(57)【要約】【課題】揺動杆とペダル部の摺接を円滑にし、衝撃が少なく円滑な昇降運動が可能で、操作が容易な足踏み運動機を得る。【解決手段】左右の作動杆１３と揺動杆３０がそれぞれ摺接機構を介して連結され、ペダル板１２を踏み込むことにより作動杆１３が下動して、作動杆１３に設けた上部摺接体３３は揺動杆３０の左右の傾きに応じてその平坦面３３ａが揺動杆３０に設けた下部摺接体３４の平坦面３４ａと面接触しながらスライドピン３２の周りに回動すると共に摺動し、同時に下部摺接体３４は揺動杆３０の周りに回動すると共に摺動し、平坦面３３ａと平坦面３４ａは作動杆１３及び揺動杆３０がそれぞれがなす角度に応じて、平坦面３３ａと平坦面３４ａの接触範囲が変動され、常に両方の平坦面３３ａ、３４ａが互いに面接触を維持する。【選択図】　　　　図４
2004008625.tif 000002
【特許請求の範囲】
【請求項１】
ペタル板と作動杆から成る左右一対のペダル部の前記作動杆の前端部を、基台の前端部に設けた水平支持軸の両端部にそれぞれ回動可能に取り付け、前記基台に立設したブラケットに前後方向に揺動支持軸を取り付け、該揺動支持軸に揺動杆を左右方向に向けて揺動可能に軸支し、前記作動杆を前記揺動杆の両端部によって上下方向位置を規制して前記ペダル部が交互に上下動するように構成し、前記基台と前記各作動杆の間には、足踏み運動の踏込み抵抗力を与えるためのダンパ装置を連結し、前記作動杆と揺動杆との間を摺接機構を介して接触させた足踏み運動機において、前記摺接機構は、前記両作動杆にそれぞれ平行に配置したスライドピンに上部摺接体を摺動かつ回動自在に挿入し、前記揺動杆の両端部に下部摺接体を摺動かつ回動自在に挿入し、前記下部摺接体により前記上部摺接体を接触支持し、前記上部、下部摺接体同士の接触部は平坦面に形成し、前記上部、下部摺接体が前記平坦部同士により面接触するようにしたことを特徴とする足踏み運動機。
【請求項２】
前記揺動支持軸の上下方向位置を調整可能とした請求項１に記載の足踏み運動機。
【請求項３】
前記ペダル板は前端部が後端部よりも厚みを厚く又は前記作動杆に対して前端部を後端部よりも高くなるように傾斜して取り付け、脚部に対するストレッチ機能を高めるようにしたことを特徴とする請求項１に記載の足踏み運動機。
【発明の詳細な説明】
【０００１】
【発明の属する技術分野】
本発明は、室内などで使用し、足踏みにより脚力の鍛錬を行う足踏み運動機に関するものである。
【０００２】
【従来の技術】
従来、この種の足踏み運動機は一般家庭において広く普及され、各種の機械的機構が用いられてはいるが、一般に左右一対のペダル部とショックアブソーバなどから構成されている。
【０００３】
図６は特開平６−９１０１８号公報に開示されている従来例の斜視図であり、左右のペダル部１、１のペダル板１ａ、１ａは作動杆１ｂ、１ｂの後部に取り付けられ、作動杆１ｂ、１ｂの先端部は機枠２の前部に横設された支持ピン３、３の周りに回動可能に軸支され、ペダル板１ａ、１ａが上下動可能にされている。
【０００４】
支持天秤４が機枠２の前部にピンを介して左右の作動杆１ｂ、１ｂの下方を支持するように取り付けられ、作動杆１ｂ、１ｂの下面には支持天秤４の両端部の上方に位置して接点が取り付けられ、作動杆１ｂ、１ｂは支持天秤４の両端部がそれぞれ接点と接触して支持されると共に支持天秤４がピンの周りに揺動するように構成されている。
【０００５】
足踏み運動に際して、一方のペダル板１ａを踏み込んで下降させると、支持天秤４の一方の端部は一方の作動杆１ｂの接点に当接して押し下げられ、同時に支持天秤４の他方の端部が上昇し、作動杆１ｂの接点に下方から当接してペダル板１ａを押し上げて、左右のペダル板１ａ、１ａが交互に昇降する。
【０００６】
ショックアブソーバ５、５は作動杆１ｂ、１ｂの後部と機枠２の前部を斜め方向に連結し、ペダル板１ａ、１ａの踏込み動作に適度な抵抗力を持たせるように構成されている。
【０００７】
【発明が解決しようとする課題】
しかしながら上述の従来例においては、作動杆１ｂ、１ｂと支持天秤４は点接触によって接触し、接触点近傍に摩耗や破損が発生し易い。また、作動杆１ｂ、１ｂ及び支持天秤４が、運動者の左右の脚部に相互の昇降タイミングずれが発生或いはその他の原因によって両者が離間すると、次に両者が接触する際に、脚部に衝撃が大きく加わるというような使用上での安定感がないなどの問題がある。
【０００８】
本発明の目的は、上述の課題を解決し、衝撃が少なく円滑な昇降運動が可能で、操作が容易な足踏み運動機を提供することにある。
【０００９】
【課題を解決するための手段】
上記目的を達成するための本発明に係る足踏み運動機は、ペタル板と作動杆から成る左右一対のペダル部の前記作動杆の前端部を、基台の前端部に設けた水平支持軸の両端部にそれぞれ回動可能に取り付け、前記基台に立設したブラケットに前後方向に揺動支持軸を取り付け、該揺動支持軸に揺動杆を左右方向に向けて揺動可能に軸支し、前記作動杆を前記揺動杆の両端部によって上下方向位置を規制して前記ペダル部が交互に上下動するように構成し、前記基台と前記各作動杆の間には、足踏み運動の踏込み抵抗力を与えるためのダンパ装置を連結し、前記作動杆と揺動杆との間を摺接機構を介して接触させた足踏み運動機において、前記摺接機構は、前記両作動杆にそれぞれ平行に配置したスライドピンに上部摺接体を摺動かつ回動自在に挿入し、前記揺動杆の両端部に下部摺接体を摺動かつ回動自在に挿入し、前記下部摺接体により前記上部摺接体を接触支持し、前記上部、下部摺接体同士の接触部は平坦面に形成し、前記上部、下部摺接体が前記平坦部同士により面接触するようにしたことを特徴とする。
【００１０】
【発明の実施の形態】
本発明を図１〜図５に図示の実施の形態に基づいて詳細に説明する。
図１は足踏み運動機の斜視図、図２は平面図、図３は縦断面図、図４は一部を拡大した要部断面図、図５は摺接機構の斜視図である。
【００１１】
基台１１には、一対のペダル板１２、これらのペダル板１２をそれぞれ固定した作動杆１３、これらの作動杆１３の先端に固定した円筒部１４を有する左右一対のペダル部１５が、回動自在に取り付けられている。基台１１の前部は上部カバー１６、下部カバー１７により覆われ、上部カバー１６にはセンサによって得られた運動量を表示するモニタ部１８が設けられている。
【００１２】
基台１１は金属製フレームから成る主基台１１ａの前端部に、Ｔ字状に左右方向に延びるフレームから成る前部基台１１ｂ、主基台１１ａの後端部にＴ字状に左右方向に延びるパイプから成る後部基台１１ｃが溶接などの方法により連結され、これらは上方から見てＨ形状に一体化されて高強度に形成されている。そして、前部基台１１ｂ及び後部基台１１ｃの両端下部には台座１９が取り付けられている。
【００１３】
前部基台１１ｂの中央部には、四角筒状の支柱２０が溶接などの方法により立設され、水平支持軸２１が支柱２０から左右方向に向けて延在されている。水平支持軸２１の両端部には、作動杆１３の先端部に設けた左右一対の円筒部１４がそれぞれ嵌入され、作動杆１３は水平支持軸２１の周りに回動可能とされている。
【００１４】
前部基台１１ｂには後方に向けてブラケット２２が付設され、このブラケット２２に継手部２３ａを介してシリンダ部２３ｂの一端が取り付けられ、ピストンロッド２３ｃの一端が作動杆１３の下部に設けたブラケット２４に継手部２３ｄを介して連結され、これらのシリンダ部２３ｂ、ピストンロッド２３ｃから成るダンパ装置２３が、前部基台１１ｂと作動杆１３とを斜め方向に連結している。ダンパ装置２３はシリンダ部２３ｂ内に油圧その他による緩衝機構を有し、作動杆１３の上下動に応じてピストンロッド２３ｃが所定の抵抗力を伴ってシリンダ部２３ｂに対して抜き差しされて全長が伸縮する。
【００１５】
主基台１１ａ上の前部基台１１ｂ寄りには、断面コの字状に形成し開口部を左右方向及び下方向に向けた金属製の固定ブラケット２５が溶接などにより固定されている。この固定ブラケット２５の内部には可動ブラケット２６が上下動可能に内設され、可動ブラケット２６の上部には調整ボルト２７が上方に向けて溶接され、固定ブラケット２５の上面に穿孔された孔を貫通して上方に突出されている。調整ボルト２７の上端には、合成樹脂製の調整ノブ２８内に埋め込まれた金属製のナットが螺合され、調整ノブ２８は固定ブラケット２５に支持されると共に、調整ノブ２８を回転させることにより、調整ボルト２７を介して可動ブラケット２６の上下位置が調整可能とされている。
【００１６】
可動ブラケット２６には、揺動支持軸２９が前後方向に向けて取り付けられ、固定ブラケット２５の側板に穿設された長孔を貫通して固定ブラケット２５の前後に突出されている。揺動支持軸２９には、金属管から成る揺動杆３０が揺動支持軸２９を中心にして左右端において上下動するように揺動自在に取り付けられ、揺動杆３０の左右端部により左右の作動杆１３の下部をそれぞれ支持するようにされている。
【００１７】
左右の作動杆１３の下面には、図５に示すように断面をコ字状にした金属製の連結ブラケット３１が開口部を左右方向及び下方に向けて溶接などによって固定され、連結ブラケット３１には作動杆１３に平行なスライドピン３２が設けられている。スライドピン３２には、合成樹脂製の略円筒状の上部摺接体３３が摺動可能にかつ回動可能に取り付けられている。また、揺動杆３０の両端部には同様な下部摺接体３４が摺動可能にかつ回動可能に取り付けられている。これらの上部摺接体３３と下部摺接体３４は互いに摺接され、これらの摺接部は平坦面３３ａ、３４ａに切削されている。
【００１８】
上部摺接体３３は基台１１に対する揺動杆３０の左右の傾きに応じて、平坦面３３ａが平坦面３４ａと面接触しながらスライドピン３２の周りに回動すると共にスライドピン３２に沿って摺動し、同時に下部摺接体３４は揺動杆３０の周りに回動すると共に揺動杆３０に沿って摺動し、平坦面３３ａ、３４ａ同士は作動杆１３及び揺動杆３０がそれぞれがなす角度に応じて、平坦面３３ａと平坦面３４ａの接触範囲が変動され、常に双方の平坦面３３ａ、３４ａが互いに面接触を維持することが可能となっている。
【００１９】
このように構成した足踏み運動機においては、足踏み運動の際に一方のペダル板１２に対する下方への踏込みの入力と、連動する他方のペダル板１２に対する揺動杆３０による上方への押上げの出力との間に、摺接が面接触で行われるために、機械的な力の伝達の遅れ或いは損失が少なく、円滑な昇降動作により脚部に加わる衝撃の少ない安全な足踏み運動が可能であり、操作が容易で好ましい踏力感を運動者に与えることができる。また、装置に加わる偏荷重を低減し、装置の信頼性を高め長寿命化することが可能である。
【００２０】
更に、図１、図３に示すように、ペダル板１２の前端部を後端部よりも厚みを厚く形成し、或いは作動杆１３に対してペダル板１２の上面が前端部を後端部よりも高くなるように傾斜して取り付けることによって、下肢後部及びアキレス腱に対するストレッチ機能の効果を高めることができる。
【００２１】
また、調整ノブ２８を回転操作して揺動支持軸２９を介して揺動杆３０の揺動支点を上下方向に移動し、運動者に適した運動の負荷が得られるように、ペダル板１２の高さ調整や角度調整が可能であり、付属の踏込み回数、運動量などのモニタ部１８により身体に対する負荷状態を知ることが可能である。
【００２２】
【発明の効果】
以上説明したように本発明に係る足踏み運動機は、円滑な昇降運動を可能とし、操作が容易な利点を有している。
【図面の簡単な説明】
【図１】実施の形態の斜視図である。
【図２】平面図である。
【図３】縦断面図である。
【図４】一部を拡大した要部断面図である。
【図５】摺接機構の斜視図である。
【図６】従来例の斜視図である。
【符号の説明】
１１　基台
１１ａ　主基台
１１ｂ　前部基台
１１ｃ　後部基台
１２　ペダル板
１３　作動杆
１４　円筒部
１５　ペダル部
２０　支柱
２１　水平支持軸
２３　ダンパ装置
２５　固定ブラケット
２６　可動ブラケット
２８　調整ノブ
２９　揺動支持軸
３０　揺動杆
３１　連結ブラケット
３２　スライドピン
３３　上部摺接体
３４　下部摺接体
【図１】
2004008625.tif 000003
【図２】
2004008625.tif 000004
【図３】
2004008625.tif 000005
【図４】
2004008625.tif 000006
【図５】
2004008625.tif 000007
【図６】
2004008625.tif 000008